(57)【要約】【課題】エンドフレーム末端端部を貫いて延在する冷却通路を減らす、かつ／または無くすことによって、エンドフレーム末端端部の少なくとも一部の冷却を可能にする移行ダクトを提供すること。【解決手段】ガスタービンの燃焼器用の移行ダクトは、半径方向外側部、半径方向外側部と対向する半径方向内側部、半径方向外側と半径方向内側部との間の第１の側方部、および半径方向外側と半径方向内側部との間の第１の側方部と対向する第２の側方部を有するエンドフレームを全体的に含む。エンドフレームの半径方向外側部、半径方向内側部、第１の側方部、または第２の側方部のうちの少なくとも１つの中に溝穴があってもよい。第１の複数の軸方向延在通路がエンドフレームの中を通り、溝穴と交わってもよい。エンドフレームの末端端部が溝穴に途切れなく隣接してもよい。【選択図】図１
2014009937.tif 000002
【特許請求の範囲】
【請求項１】
ａ．半径方向外側部（５６）、前記半径方向外側部（５６）と対向する半径方向内側部（５８）、前記半径方向外側（５６）と半径方向内側部（５８）との間に延在する一対の対向する側方部（６０）を有するエンドフレーム（５０）と、
ｂ．前記半径方向外側部（５６）、前記半径方向内側部（５８）または前記一対の対向する側方部（６０）の一方もしくは両方のうちの少なくとも１つの中に画定される溝穴（６６）と、
ｃ．前記エンドフレーム（５０）の中を通って延在し、前記溝穴（６６）と交わる第１の複数の軸方向延在通路（７４）と、
ｄ．前記溝穴（６６）に隣接して連続している前記エンドフレーム（５０）の末端端部（５４）と、
を備える移行ダクト（２６）。
【請求項２】
前記溝穴（６６）が、前記エンドフレーム（５０）の半径方向外側部（５６）の中を通って延在する、請求項１記載の移行ダクト（２６）。
【請求項３】
前記溝穴（６６）が、前記エンドフレーム（５０）の半径方向内側部（５８）の中を通って延在する、請求項１または２記載の移行ダクト（２６）。
【請求項４】
前記エンドフレーム（５０）の中を通って延在する第２の複数の軸方向延在通路（６２）をさらに備え、前記第２の複数の軸方向延在通路（６２）が、前記エンドフレーム（５０）の末端端部（５４）を貫通する、請求項１乃至３のいずれか記載の移行ダクト（２６）。
【請求項５】
前記第１の軸方向延在通路（７４）のうちの少なくともいくつかが、前記溝穴（６６）に対して実質的に垂直である、請求項１乃至４のいずれか記載の移行ダクト（２６）。
【請求項６】
前記第１の軸方向延在通路（７４）のうちの少なくともいくつかが、前記エンドフレーム（５０）の軸方向中心線に対して鋭角をなして前記溝穴（６６）と交わる、請求項１乃至５のいずれか記載の移行ダクト（２６）。
【請求項７】
前記溝穴（６６）に隣接する前記エンドフレーム（５０）の末端端部（５４）上に配置された耐熱材料（７６）の連続層をさらに備える、請求項１乃至６のいずれか記載の移行ダクト（２６）。
【発明の詳細な説明】
【技術分野】
【０００１】
本発明は、一般にガスタービン用移行ダクトに関する。詳細には、本発明は、移行ダクトに関し、移行ダクトの下流端部にエンドフレームが配置されている。
【背景技術】
【０００２】
従来のガスタービンシステムは、圧縮機、１つまたは複数の燃焼器、およびタービンを含む。従来のガスタービンシステムでは、圧縮機から１つまたは複数の燃焼器に圧縮空気が供給される。１つまたは複数の燃焼器に入る空気は燃料と混合され、燃焼される。高温の燃焼ガスは１つまたは複数の燃焼器の各々から移行ダクトを通ってタービンに流入し、ガスタービンシステムを駆動して発電する。
【０００３】
燃焼器の設計によっては、移行ダクトの下流端部をエンドフレームが取り囲むことがある。エンドフレームは通常、タービンに概ね隣接する末端端部を含むことができる。その結果、エンドフレーム末端端部は、移行ダクトからタービンに流入する高温ガスによって生じる強烈な熱応力に曝されうる。
【０００４】
熱応力を低減し、エンドフレームの機械的寿命を高めるための種々の技法は、一般的に、エンドフレーム末端端部を貫く冷却通路を機械加工し、それにより、圧縮機からの圧縮空気等の冷却媒体が通路を通って流れることができるようにして、エンドフレーム末端端部を冷却することを含む。エンドフレーム末端端部を貫いて延在する冷却通路を減らす、かつ／または無くすことによって、エンドフレーム末端端部の少なくとも一部の冷却を可能にする移行ダクトが必要である。
【発明の概要】
【課題を解決するための手段】
【０００５】
本発明の態様および利点は、以下の記載において説明され、あるいは、記載から明らかになることも、本発明の実施を通じて理解されることもある。
【０００６】
本発明の１つの実施形態は、エンドフレームを有する移行ダクトである。エンドフレームは、半径方向外側部、半径方向外側部と対向する半径方向内側部、半径方向外側と半径方向内側部との間の第１の側方部、および半径方向外側と半径方向内側部との間の第１の側方部と対向する第２の側方部、ならびにエンドフレームの半径方向外側部、半径方向内側部、第１の側方部、または第２の側方部のうちの少なくとも１つの中の溝穴を含むことができる。第１の複数の軸方向延在通路がエンドフレームの中を通って延在し、溝穴と交わってもよい。エンドフレームの末端端部が全体的に溝穴に隣接して連続してもよい。
【０００７】
本発明の別の実施形態は、半径方向外側部、半径方向外側部と対向する半径方向内側部、半径方向外側と半径方向内側部との間の第１の側方部、および半径方向外側と半径方向内側部との間の第１の側方部と対向する第２の側方部を有するエンドフレームを全体的に含む移行ダクトである。エンドフレームは、エンドフレームの半径方向外側部、半径方向内側部、第１の側方部、または第２の側方部のうちの少なくとも１つの中の半径方向通路を含むこともできる。第１の複数の軸方向通路がエンドフレームの中を通って延在し、半径方向通路において終端する。エンドフレームの末端端部が全体的に半径方向通路の下流にあってもよく、半径方向通路に隣接した末端端部上には耐熱材料の連続層が配置されてもよい。
【０００８】
本発明は、半径方向外側部、半径方向外側部と対向する半径方向内側部、半径方向外側と半径方向内側部との間の第１の側方部、および半径方向外側と半径方向内側部との間の第１の側方部と対向する第２の側方部を有するエンドフレームと、エンドフレームの末端端部とを全体的に含む移行ダクトを含むこともできる。移行ダクトはエンドフレーム末端端部の冷却手段も含む。
【０００９】
当業者は、本明細書を検討することによって、こうした実施形態およびその他の特徴および態様を理解しよう。
【００１０】
本願明細書の後の部分では、添付の図への参照を含めつつ、当業者にとって本発明の最良の形態を含む、本発明の完全で実施可能な程度の開示をより詳細に示す。
【図面の簡単な説明】
【００１１】
【図１】例示的なガスタービンの部分断面図である。
【図２】図１に示される通りの例示的な燃焼器の断面の側面図である。
【図３】本開示の少なくとも１つの実施形態による、図２に示される通りの例示的な移行ダクトの斜視図である。
【図４】本開示の少なくとも１つの実施形態による、図３に示される通りの線Ａ−Ａに沿った移行ダクトの一部の断面の上面図である。
【図５】本開示の少なくとも１つの実施形態による、図３に示される通りの移行ダクトの一部の線Ｂ−Ｂに沿った断面の側面図である。
【図６】本開示の少なくとも１つの実施形態による、図３に示される通りの移行ダクトの一部の線Ｂ−Ｂに沿った断面の側面図である。
【図７】本開示の少なくとも１つの実施形態による、図３に示される通りの移行ダクトの一部の側面図である。
【図８】本開示の少なくとも１つの実施形態による、図３に示される通りの線Ａ−Ａに沿った移行ダクトの一部の断面の上面図である。
【図９】本開示の少なくとも１つの実施形態による、図３に示される通りの線Ｂ−Ｂに沿った断面の一部の側面図である。
【図１０】本開示の少なくとも１つの実施形態による、図３に示される通りの線Ｂ−Ｂに沿った断面の一部の側面図である。
【発明を実施するための形態】
【００１２】
次に、本発明の実施形態を提示するために詳細な論及を行う。実施形態の１つまたは複数の例が添付の図面に示されている。詳細な記載は、図面中の特徴を参照するために数字および文字符号を用いる。図面および記載中の同じまたは類似の符号は、本発明の同じまたは類似の部分を参照するために用いられている。
【００１３】
本願明細書では、用語「第１」、「第２」および「第３」は、１つの構成要素を他と区別するために交換可能に用いられてもよいものであり、個々の構成要素の位置または重要性を意味することを意図されてはいない。加えて、用語「上流」および「下流」は流体経路における構成要素の相対位置を指す。例えば、流体が構成要素Ａから構成要素Ｂに流れる場合には、構成要素Ａは構成要素Ｂの上流になる。逆に、構成要素Ｂが構成要素Ａからの流体の流れを受ける場合には、構成要素Ｂは構成要素Ａの下流になる。
【００１４】
それぞれの例は、本発明を限定するためでなく、本発明を説明するために提供されている。実際、本発明において、その範囲または精神から逸脱することなく変更および変形を加えることができることは当業者には明らかであろう。例えば、１つの実施形態の一部として図示または記載されている特徴が、別の実施形態に用いられてさらに別の実施形態を生み出してもよい。故に、本発明は、このような変更および変形を、添付の請求項およびそれらの均等物の範囲に入るものとして含むことが意図されている。
【００１５】
本発明の種々の実施形態はガスタービンの燃焼器用の移行ダクトを含む。移行ダクトは、移行ダクトの下流端部を取り囲むエンドフレームを全体的に含む。エンドフレームは、全体的にガスタービンのタービン部に隣接して配置される末端端部を含む。特定の実施形態では、エンドフレームは１つまたは複数の溝穴を含むことができる。１つまたは複数の溝穴は、下流側表面から軸方向に隔てられた上流側表面を含むことができる。ここで、１つまたは複数の溝穴の下流側表面は全体的にエンドフレーム末端端部に隣接している。エンドフレームは、エンドフレームの一部の中を通って延在し、１つまたは複数の溝穴と交わる複数の軸方向延在通路を含むこともできる。このようにして、圧縮作動流体が複数の軸方向延在通路の少なくとも一部を通って１つまたは複数の溝穴に流入することができ、それにより、圧縮作動流体は、エンドフレーム末端端部に隣接する１つまたは複数の溝穴の下流側表面に衝突する、かつ／またはそこを流れて通り抜ける。溝穴の下流側表面とエンドフレームの末端端部との間の容積は、エンドフレームとタービン部との間に一体の熱シールドを形成することができる。その結果、圧縮作動流体がエンドフレーム末端端部を冷却することができ、それにより、エンドフレームに対する熱応力が低減し、エンドフレームおよび移行ダクトの機械的寿命が改善する。
【００１６】
図１は、例示的なガスタービン、およびガスタービンの一部の断面図を示す。図２は、図１に示される通りのガスタービンの燃焼器の断面図を示す。図１に示されるように、ガスタービン１０は、圧縮機１２、圧縮機１２の下流の１つまたは複数の燃焼器１４、および複数の燃焼器１４の下流のタービン部１６を全体的に含む。図示のように、複数の燃焼器１４はガスタービン１０の軸方向中心線の周りに環状アレイ状に配置されてもよい。タービン部１６は、静翼１８および動翼２０の交互になった段を全体的に含むことができる。動翼２０は、タービン部１６を貫いて延在するシャフト２２に結合されてもよい。図２に示されるように、複数の燃焼器１４は各々、一方の端部にエンドカバー２４を含み、他方の端部に移行ダクト２６を含むことができる。１つまたは複数の燃料ノズル２８がエンドカバー２４から概ね下流へ延在してもよい。燃焼器ライナ３０が１つまたは複数の燃料ノズル２８を少なくとも部分的に取り囲み、そこから下流へ延在してもよい。移行ダクト２６は燃焼器ライナ３０から下流へ延在してもよく、静翼１８の１段目に隣接して終了してもよい。別の設計では、移行ダクト２６は１つまたは複数の燃料ノズル２８から下流へ延在してもよい。図１および２に示されるように、プレナム３４を形成するべく外筒３２が１つまたは複数の燃焼器１４を取り囲むことがある。プレナム３４は燃焼器ライナ３０および／または移行ダクト２６を少なくとも部分的に取り巻いている。
【００１７】
動作時には、図１に示されるように、外気等の作動流体３６が圧縮機１２に入り、圧縮機１２を通って圧縮作動流体３８としてプレナム３４に流入する。図２に示されるように、圧縮作動流体３８の一部は、移行ダクト２６を通り抜けて、方向を反転させるまでエンドカバー２４に向かって流れることができる。圧縮作動流体３８は、燃焼器ライナ３０の内部に少なくとも部分的に画定されてもよい燃焼室４０内で１つまたは複数の燃料ノズル２８からの燃料と混合して可燃混合気を形成する。可燃混合気は燃焼され、急膨張する高温ガス４２を発生する。高温ガス４２は通常、燃焼器ライナ３０が存在する場合には、そこから、移行ダクト２６を通ってタービン部１６に流入する。そこで、高温ガス４２からのエネルギーは、シャフト２２に取り付けられた動翼２０の種々の段に伝達され、それによって、シャフト２２を回転させ、機械的仕事を発生させる。発生した機械的仕事は、圧縮機１２、または電気を発生する発電機（不図示）等の他の外部負荷を駆動することができる。プレナム３４からの圧縮作動流体３８の他の一部は、主として複数の燃焼器１４および／またはタービン部１６内の種々の構成要素を冷却するために利用することができる。
【００１８】
図３は、本開示の少なくとも１つの実施形態による、図２に示される通りの例示的な移行ダクト２６の斜視図を示す。図２および３に示されるように、移行ダクト２６は、前端部４６および前端部４６の下流の後端部４８を有する管状体４４を全体的に含む。前端部４６は概ね環状であってもよく、燃焼器ライナ３０と係合するように構成されてもよい。特定の実施形態では、移行ダクト２６は、管状体４４の後端部４８の周囲を少なくとも部分的に取り囲むエンドフレーム５０を含むことができる。実施形態によっては、エンドフレーム５０は、管状体４４の後端部４８の一体部分として鋳造および／または機械加工されてもよい。他の実施形態では、エンドフレーム５０は、管状体４４の後端部４８に接続される別個の構成要素であってもよい。例えば、限定するものではないが、エンドフレーム５０は溶接によって後端部４８に接続されてもよい。
【００１９】
図２および３に示されるように、エンドフレーム５０は、上流端部５２、および上流端部から軸方向に隔てられた末端端部５４を全体的に含む。図２に示されるように、エンドフレーム５０の末端端部５４は、全体的にタービン部１６の静翼１８の１段目に隣接して配置されてもよい。図３に示されるように、エンドフレーム５０の末端端部５４は概ね平坦であってもよい。特定の実施形態では、末端端部の少なくとも一部は連続的であってもよい。本願明細書において用いられているように、用語「連続的」は、全体的に貫通孔または貫通通路のない、中実で途切れのない表面を意味する。
【００２０】
図３に示されるように、エンドフレーム５０は、エンドフレーム５０の軸方向中心線から半径方向外側に配置された半径方向外側部５６、および半径方向外側部５６から半径方向内側に配置された半径方向内側部５８を全体的に含むことができる。エンドフレーム５０は一対の側方部６０をさらに含むことができる。一対の側方部６０は各々、半径方向外側部５６と半径方向内側部５８との間に概ね半径方向に延在する。特定の実施形態では、半径方向内側部５８、半径方向外側部５６、および一対の側方部６０は全体的にエンドフレーム５０の末端端部５４に隣接してもよい。
【００２１】
図４は、図３の線Ａ−Ａに沿ったエンドフレーム５０の一対の側方部６０のうちの一方の断面図である。図５および６は、図３に示される通りの線Ｂ−Ｂに沿ったエンドフレーム５０の半径方向内側部５８および半径方向外側部５６の断面図である。特定の実施形態では、図４〜６に示されるように、エンドフレーム５０は、エンドフレーム５０の少なくとも一部の中を通り、エンドフレーム５０の末端端部５４を貫いて概ね軸方向に延在する複数の軸方向延在通路６２を含むことができる。複数の軸方向延在通路６２は、複数の軸方向延在通路６２を通じた流れを促すように、いかなるサイズのものであってもよく、いかなる断面形状を有してもよく、またはいかなる方法で配置されてもよい。このようにして、圧縮作動流体３８の少なくとも一部が燃焼器１４のプレナム３４から軸方向延在通路６２を通って流れることができ、それにより、エンドフレーム５０の少なくとも一部を部分的に冷却する。
【００２２】
特定の実施形態では、図４〜６に示されるように、エンドフレーム５０の末端端部５４の少なくとも一部が耐熱材料６４で被覆されてもよい。例えば、限定するものではないが、遮熱コーティングである。特定の実施形態では、複数の軸方向延在通路６２の少なくとも一部は、エンドフレーム５０の末端端部５４を貫き、耐熱材料６４を貫いて延在してもよい。このようにして、耐熱材料６４は、エンドフレーム５０の末端端部５４と、移行ダクト２６からタービン部１６に流入する高温ガス４２との間に熱障壁を形成することができる。加えて、エンドフレーム５０に対して、特に、エンドフレーム５０の末端端部５４に対して圧縮作動流体３８が冷却することができる。その結果、エンドフレームの機械的寿命が高められうる。
【００２３】
図７は、図３に示される通りのエンドフレーム５０の側面図を示す。図８は、図３における線Ａ−Ａに沿ったエンドフレーム５０の一対の側方部６０のうちの一方の断面図を示す。図９は、図３に示される通りの線Ｂ−Ｂに沿ったエンドフレーム５０の半径方向外側部５６の断面図を示す。図１０は、図３に示される通りの線Ｂ−Ｂに沿ったエンドフレーム５０の半径方向内側部５８の断面図を示す。図７〜１０に示されるように、本発明の種々の実施形態は、エンドフレーム５０の末端端部５４の冷却手段を含むことができる。特定の実施形態では、エンドフレーム５０の末端端部５４の冷却構造は、図９に示されるように、エンドフレーム５０の半径方向外側部５６、図１０に示されるように、半径方向内側部５８、または図８に示されるように、一対の側方部６０のうちの少なくとも１つの中に溝穴６６を含むことができる。特定の実施形態では、図３および図７〜１０にまとめて示されるように、溝穴６６は全体的にエンドフレーム５０の周囲に円周方向に途切れのないように延在してもよい。図７〜１０に示されるように、溝穴６６は、上流側表面６８、および上流側表面６８から概ね軸方向に隔てられた下流側表面７０を画定する形状になされてもよい。例えば、限定するものではないが、溝穴６６は概ね「Ｕ」字状であってもよい。特定の実施形態では、図７〜１０に示されるように、溝穴６６は、溝穴下流側表面７０が全体的にエンドフレーム５０の末端端部５４に隣接するように配置されてもよい。特定の実施形態では、図７〜１０に示されるように、溝穴６６の下流側表面７０は全体的にエンドフレーム５０の末端端部５４に隣接して連続してもよい。特定の実施形態では、図７〜１０に示されるように、溝穴６６の下流側表面７０とエンドフレーム５０の末端端部５４との間のエンドフレームの容積が、エンドフレーム５０に対して一体となった熱シールド７１を少なくとも部分的に画定することができ、それにより、移行ダクト２６からタービン部に流入する高温ガス４２との間の防護障壁を形成する。
【００２４】
図７〜１０に示されるように、エンドフレーム５０の末端端部５４の冷却手段は、溝穴６６の上流側表面６８と下流側表面７０との間に少なくとも部分的に画定される半径方向通路７２を含むことができる。図示のように、エンドフレーム５０内には、複数の溝穴６６によって画定される複数の半径方向通路７２があってもよい。図７および８に示されるように、半径方向通路７２はエンドフレーム５０の一対の側方部６０内の溝穴６６によって画定することができる。加えて、または代替的に、図７、９および１０に示されるように、半径方向通路７２はエンドフレーム５０の半径方向外側部５６および／または半径方向内側部５８内に画定されてもよい。
【００２５】
エンドフレーム５０の末端端部５４の冷却手段は、エンドフレーム５０の少なくとも一部の中を通って延在し、溝穴６６と交わる複数の軸方向延在通路７４をさらに含むことができる。複数の軸方向延在通路７４は、複数の軸方向延在通路７４を通じた流れを促すように、いかなるサイズのものであってもよく、いかなる断面形状を有してもよく、またはいかなる方法で配置されてもよい。特定の実施形態では、図７〜１０に示されるように、軸方向延在通路７４の少なくとも一部は、エンドフレーム５０の上流端部５２に概ね隣接する位置から延在してもよい。特定の実施形態では、図８に示されるように、複数の軸方向延在通路７４の少なくとも一部は、エンドフレーム５０の一対の側方部６０のうちの少なくとも一方の中の溝穴６６と交わってもよい。加えて、または代替的に、図９および１０にそれぞれ示されるように、複数の軸方向延在通路７４の少なくとも一部は、エンドフレーム５０の半径方向外側部５６または半径方向内側部５８のうちの少なくとも一方の中の溝穴６６と交わってもよい。
【００２６】
実施形態によっては、図７および８に示されるように、複数の軸方向延在通路７４のうちの少なくとも１つは溝穴６６の上流側表面６８と概ね垂直に交わってもよい。このようにして、溝穴６６に流入する圧縮作動流体３８は溝穴６６の下流側表面７０に衝突することができ、それにより、下流側表面７０に対してインピンジメント冷却を提供し、かくしてエンドフレーム５０の末端端部５４を冷却する。加えて、または代替的に、図７、９および１０に示されるように、軸方向延在通路７４の少なくとも一部は、エンドフレーム５０の軸方向中心線に対して鋭角の角度で溝穴６６と交わってもよい。このようにして、溝穴６６に流入する圧縮作動流体３８は溝穴６６の下流側表面７０に対して、なお少なくとも部分的に衝突してもよく、それにより、下流側表面７０に対してインピンジメント冷却を提供し、かくしてエンドフレーム５０の末端端部５４をインピンジメント冷却する。加えて、圧縮作動流体は溝穴６６の下流側表面７０を流れて通り抜けることができ、それにより、溝穴６６の下流側表面７０およびエンドフレーム５０の末端端部５４に対して対流および／または伝導冷却を提供する。
【００２７】
種々の実施形態では、図７〜１０に示されるように、溝穴６６に流入する圧縮作動流体３８は、半径方向通路７２を通ってタービン部１６内へと導かれてもよい。その結果として、圧縮作動流体３８は溝穴６６の上流側および下流側表面６８、７０に対して冷却することができ、それにより、エンドフレーム５０および末端端部５４を冷却する。加えて、圧縮作動流体３８は、タービン部１６の静翼１８の１段目に対して冷却することができる。
【００２８】
図８〜１０に示されるように、エンドフレーム下流端部の冷却手段は耐熱材料７６を含むこともできる。特定の実施形態では、図８〜１０に示されるように、耐熱材料７６は、エンドフレーム５０の末端端部５４の、溝穴６６の下流側表面７０に隣接した部分上に少なくとも配置されてもよい。種々の実施形態では、図８〜１０に示されるように、耐熱材料７６は、エンドフレーム５０の末端端部５４の、溝穴６６の下流側表面７０に隣接している部分に沿った連続層内に施されてもよい。このようにして、耐熱材料７６は、移行ダクト２６からタービン部１６に流入する高温ガス４２から、エンドフレーム５０の末端端部５４を少なくとも部分的に保護することができる。このようにして、耐熱材料７６と、溝穴６６に流入する圧縮作動流体３８によって提供される溝穴６６の下流側表面７０の衝突、対流および／または伝導冷却とが組み合わさり、エンドフレーム５０の末端端部５４上の熱応力を低減することができる。その結果、エンドフレームの寿命が改善され、それにより、燃焼器１４の全体的な機械的性能が高めることができる。
【００２９】
特定の実施形態では、エンドフレーム末端端部は、エンドフレーム末端端部の冷却手段に加えて、末端端部の一部を貫いて延在する複数の軸方向延在通路６２の一部を含むことができる。例えば、複数の軸方向延在通路６２は、図５および６に示されるように、エンドフレーム５０の半径方向内側部および／または半径方向外側部に隣接したエンドフレーム５０の末端端部５４を貫いて延在してもよく、一方、一対の側方部６０は、図８に示されるように、溝穴６６および軸方向延在冷却通路７４を含むことができる。
【００３０】
代替の実施形態では、複数の軸方向延在通路６２は、図４に示されるように、エンドフレーム５０の一対の側方部６０に隣接したエンドフレーム５０の末端端部５４を貫いて延在してもよく、一方、半径方向外側部５６および半径方向内側部５８は、図９〜１０に示されるように、溝穴６６および軸方向延在冷却通路７４を含むことができる。このようにして、エンドフレーム５０の末端端部５４を貫いて延在する軸方向延在通路６２の配置に対する溝穴６６および軸方向延在冷却通路７４の配置によって、熱応力を選択的に制御することができる。
【００３１】
本明細書は、例を用い、最良の形態を含む本発明を開示し、同様に、任意の装置またはシステムを製作し利用すること、および任意の組み込まれている方法を実施することを含めて、当業者であれば誰でも本発明を実施できるようにする。本発明の特許性のある範囲は特許請求の範囲によって定義されており、当業者が想到する他の例を含むことができる。このような他の例は、特許請求の範囲の文言とは異ならない構造要素を含む場合、または特許請求の範囲の文字通りの文言とはごくわずかの相違しかない均等な構造要素を含む場合には、特許請求の範囲に含まれることが意図されている。
【符号の説明】
【００３２】
１０  ガスタービン
１２  圧縮機
１４  燃焼器
１６  タービン部
１８  静翼
２０  動翼
２２  シャフト
２４  エンドカバー
２６  移行ダクト
２８  燃料ノズル
３０  燃焼器ライナ
３２  外筒
３４  プレナム
３６  作動流体
３８  圧縮作動流体
４０  燃焼室
４２  高温ガス
４４  管状体
４６  前端部
４８  後端部
５０  エンドフレーム
５２  上流端部
５４  末端端部
５６  半径方向外側部
５８  半径方向内側部
６０  側方部
６２  軸方向延在通路
６４  耐熱コーティング
６６  溝穴
６８  溝穴上流側表面
７０  溝穴下流側表面
７１  熱シールド
７２  半径方向通路
７４  軸方向延在通路
７６  耐熱材料
【図１】
2014009937.tif 000003
【図２】
2014009937.tif 000004
【図３】
2014009937.tif 000005
【図４】
2014009937.tif 000006
【図５】
2014009937.tif 000007
【図６】
2014009937.tif 000008
【図７】
2014009937.tif 000009
【図８】
2014009937.tif 000010
【図９】
2014009937.tif 000011
【図１０】
2014009937.tif 000012